(57)【要約】【課題】  まんがを画面表示させる装置を提供する。【解決手段】  まんがデータ取得部３２８は、画面表示を目的としてまんがの画像上に設定された指定領域の幾何情報と、まんがを読む順序に沿って指定領域のそれぞれに付与された順序情報とを含むまんがデータを読み取る。表示位置処理部３１０は、ユーザによる画面送り操作があるたびに、順序情報に基づいて次に画面表示すべき指定領域を次表示領域として特定する。表示判定部３２６は、幾何情報に基づき次表示領域を一画面にて表示可能か否かを判定する。表示位置処理部３１０は、次表示領域が一画面にて表示可能と判定された場合には、次表示領域を画面の中央部に表示させ、次表示領域が一画面にて表示不可能と判定された場合には、次表示領域内の所定位置が画面の中央部にくるよう表示させる。【選択図】  図３
2005202062.tif 000002
【特許請求の範囲】
【請求項１】
画面表示を目的としてまんがの画像上に設定された指定領域の幾何情報と、前記まんがを読む順序に沿って前記指定領域のそれぞれに付与された順序情報とを含むまんがデータを読み取るまんがデータ取得部と、
ユーザによる画面送り操作があるたびに、前記順序情報に基づいて次に画面表示すべき指定領域を次表示領域として特定する領域特定部と、
前記幾何情報に基づき前記次表示領域を一画面にて表示可能か否かを判定する判定部と、
前記次表示領域が一画面にて表示可能と判定された場合には、前記次表示領域を画面の中央部に表示させ、前記次表示領域が一画面にて表示不可能と判定された場合には、前記次表示領域内の所定位置が画面の中央部にくるよう表示させる表示指示部と、
を備えることを特徴とするまんが表示装置。
【請求項２】
前記表示指示部は、前記次表示領域内の前記所定位置が画面の中央部にくるよう表示させたときにユーザによる画面送り操作があると、前記次表示領域内の更に別の所定位置が画面の中央部にくるよう表示させることを特徴とする請求項１に記載のまんが表示装置。
【請求項３】
前記表示指示部は、前記次表示領域が一画面にて表示不可能と判定された場合には、ユーザによる画面送り操作により前記次表示領域の主要部が全体として表示されるよう前記別の所定位置を特定することを特徴とする請求項２に記載のまんが表示装置。
【請求項４】
前記表示指示部は、前記次表示領域が一画面にて表示不可能と判定された場合には、前記所定位置から前記次表示領域内の別の所定位置に向けて画面をスクロール表示させることを特徴とする請求項１に記載のまんが表示装置。
【請求項５】
前記画面においてまんがを表示させるまんが表示領域の幾何形状を変更させるためにユーザによりなされる領域変更入力を検出する領域変更入力部を更に備え、
前記判定部は、前記次表示領域の幾何情報と前記まんが表示領域の幾何形状に基づいて、前記次表示領域を一画面にて表示可能か否かを判定することを特徴とする請求項１から４のいずれかに記載のまんが表示装置。
【請求項６】
画面表示を目的としてまんがの画像上に設定された指定領域の幾何情報と、前記まんがを読む順序に沿って前記指定領域のそれぞれに付与された順序情報とを含むまんがデータを読み取るまんがデータ取得部と、
ユーザによる画面送り操作があるたびに、前記順序情報に基づいて次に画面表示すべき指定領域を次表示領域として特定する領域特定部と、
現在、画面表示させている指定領域から次表示領域に向けて画面をスクロール表示させる表示指示部と、
を備えることを特徴とするまんが表示装置。
【請求項７】
前記表示指示部は、画面に表示しているまんがの画像の表示倍率を変更させながら、前記次表示領域を表示させることを特徴とする請求項１から６のいずれかに記載のまんが表示装置。
【請求項８】
前記表示指示部は、前記次表示領域でない領域であって前記画面に表示される領域よりも、前記次表示領域を強調して表示させることを特徴とする請求項１から７のいずれかに記載のまんが表示装置。
【請求項９】
画面表示を目的としてまんがの画像上に設定された指定領域の幾何情報と、前記まんがを読む順序に沿って前記指定領域のそれぞれに付与された順序情報とを含むまんがデータを読み取るステップと、
ユーザによる画面送り操作があるたびに、前記順序情報に基づいて次に画面表示すべき指定領域を次表示領域として特定するステップと、
前記幾何情報に基づき前記次表示領域を一画面にて表示可能か否かを判定するステップと、
前記次表示領域が一画面にて表示可能と判定された場合には、前記次表示領域を画面の中央部に表示させ、前記次表示領域が一画面にて表示不可能と判定された場合には、前記次表示領域内の所定位置が画面の中央部にくるよう表示させるステップと、
を備えることを特徴とするまんが表示方法。
【請求項１０】
画面表示を目的としてまんがの画像上に設定された指定領域の幾何情報と、前記まんがを読む順序に沿って前記指定領域のそれぞれに付与された順序情報とを含むまんがデータを読み取るステップと、
ユーザによる画面送り操作があるたびに、前記順序情報に基づいて次に画面表示すべき指定領域を次表示領域として特定するステップと、
前記幾何情報に基づき前記次表示領域を一画面にて表示可能か否かを判定するステップと、
前記次表示領域が一画面にて表示可能と判定された場合には、前記次表示領域を画面の中央部に表示させ、前記次表示領域が一画面にて表示不可能と判定された場合には、前記次表示領域内の所定位置から前記次表示領域内の別の所定位置に向けて画面をスクロール表示させるステップと、
を備えることを特徴とするまんが表示方法。
【請求項１１】
画面表示を目的としてまんがの画像上に設定された指定領域の幾何情報と、前記まんがを読む順序に沿って前記指定領域のそれぞれに付与された順序情報とを含むまんがデータを読み取るステップと、
ユーザによる画面送り操作があるたびに、前記順序情報に基づいて次に画面表示すべき指定領域を次表示領域として特定するステップと、
現在、画面表示させている指定領域から、前記次表示領域に向けて画面をスクロール表示させるステップと、
を備えることを特徴とするまんが表示方法。
【請求項１２】
画面表示を目的としてまんがの画像上に設定された指定領域の幾何情報と、前記まんがを読む順序に沿って前記指定領域のそれぞれに付与された順序情報とを含むまんがデータを読み取る機能と、
ユーザによる画面送り操作があるたびに、前記順序情報に基づいて次に画面表示すべき指定領域を次表示領域として特定する機能と、
前記幾何情報に基づき前記次表示領域を一画面にて表示可能か否かを判定する機能と、
前記次表示領域が一画面にて表示可能と判定された場合には、前記次表示領域を画面の中央部に表示させ、前記次表示領域が一画面にて表示不可能と判定された場合には、前記次表示領域内の所定位置が画面の中央部にくるよう表示させる機能と、
をコンピュータに発揮させることを特徴とするまんが表示プログラム。
【請求項１３】
画面表示を目的としてまんがの画像上に設定された指定領域の幾何情報と、前記まんがを読む順序に沿って前記指定領域のそれぞれに付与された順序情報とを含むまんがデータを読み取る機能と、
ユーザによる画面送り操作があるたびに、前記順序情報に基づいて次に画面表示すべき指定領域を次表示領域として特定する機能と、
前記幾何情報に基づき前記次表示領域を一画面にて表示可能か否かを判定する機能と、
前記次表示領域が一画面にて表示可能と判定された場合には、前記次表示領域を画面の中央部に表示させ、前記次表示領域が一画面にて表示不可能と判定された場合には、前記次表示領域内の所定位置から、前記次表示領域内の別の所定位置に向けて画面をスクロール表示させる機能と、
をコンピュータに発揮させることを特徴とするまんが表示プログラム。
【請求項１４】
画面表示を目的としてまんがの画像上に設定された指定領域の幾何情報と、前記まんがを読む順序に沿って前記指定領域のそれぞれに付与された順序情報とを含むまんがデータを読み取る機能と、
ユーザによる画面送り操作があるたびに、前記順序情報に基づいて次に画面表示すべき指定領域を次表示領域として特定する機能と、
現在、画面表示させている指定領域から、前記次表示領域に向けて画面をスクロール表示させる機能と、
をコンピュータに発揮させることを特徴とするまんが表示プログラム。
【請求項１５】
コンピュータにて読取可能な記録媒体であって、
画面表示を目的としてまんがの画像上に設定された指定領域の幾何情報と、前記まんがを読む順序に沿って前記指定領域のそれぞれに付与された順序情報とを含むまんがデータを読み取る機能と、
ユーザによる画面送り操作があるたびに、前記順序情報に基づいて次に画面表示すべき指定領域を次表示領域として特定する機能と、
前記幾何情報に基づき前記次表示領域を一画面にて表示可能か否かを判定する機能と、
前記次表示領域が一画面にて表示可能と判定された場合には、前記次表示領域を画面の中央部に表示させ、前記次表示領域が一画面にて表示不可能と判定された場合には、前記次表示領域内の所定位置が画面の中央部にくるよう表示させる機能と、
をコンピュータに発揮させることを特徴とするまんが表示プログラムを格納した記録媒体。
【請求項１６】
コンピュータにて読取可能な記録媒体であって、
画面表示を目的としてまんがの画像上に設定された指定領域の幾何情報と、前記まんがを読む順序に沿って前記指定領域のそれぞれに付与された順序情報とを含むまんがデータを読み取る機能と、
ユーザによる画面送り操作があるたびに、前記順序情報に基づいて次に画面表示すべき指定領域を次表示領域として特定する機能と、
前記幾何情報に基づき前記次表示領域を一画面にて表示可能か否かを判定する機能と、
前記次表示領域が一画面にて表示可能と判定された場合には、前記次表示領域を画面の中央部に表示させ、前記次表示領域が一画面にて表示不可能と判定された場合には、前記次表示領域内の所定位置から、前記次表示領域内の別の所定位置に向けて画面をスクロール表示させる機能と、
をコンピュータに発揮させることを特徴とするまんが表示プログラムを格納した記録媒体。
【請求項１７】
コンピュータにて読取可能な記録媒体であって、
画面表示を目的としてまんがの画像上に設定された指定領域の幾何情報と、前記まんがを読む順序に沿って前記指定領域のそれぞれに付与された順序情報とを含むまんがデータを読み取る機能と、
ユーザによる画面送り操作があるたびに、前記順序情報に基づいて次に画面表示すべき指定領域を次表示領域として特定する機能と、
現在、画面表示させている指定領域から、前記次表示領域に向けて画面をスクロール表示させる機能と、
をコンピュータに発揮させることを特徴とするまんが表示プログラムを格納した記録媒体。
【請求項１８】
まんが画像を読み取る画像取得部と、
前記読み取ったまんが画像を画面表示させる表示指示部と、
前記表示させたまんが画像上において、一以上の矩形領域を設定するためのユーザによる入力を検出する領域設定部と、
前記まんが画像における前記矩形領域の位置および形状の双方または一方を示す座標を検出する座標取得部と、
前記設定したそれぞれの矩形領域の表示順序を設定するためのユーザによる入力を検出する順序設定部と、
前記読み取ったまんが画像に前記設定した座標と順序を対応づけて編集情報として記憶する編集情報格納部と、
前記編集情報を外部に出力する出力部と、
を備えることを特徴とするまんが編集装置。
【請求項１９】
まんが画像を読み取るステップと、
前記読み取ったまんが画像を画面表示させるステップと、
前記表示したまんが画像上において、一以上の矩形領域を設定するためのユーザによる入力を検出するステップと、
前記まんが画像における前記矩形領域の位置および形状の双方または一方を示す座標を検出するステップと、
前記設定したそれぞれの矩形領域の表示順序を設定するためのユーザによる入力を検出するステップと、
前記読み取ったまんが画像に前記座標と順序を対応づけて編集情報として記憶するステップと、
前記編集情報を外部に出力するステップと、
を備えることを特徴とするまんが編集方法。
【請求項２０】
まんが画像を読み取る機能と、
前記読み取ったまんが画像を画面表示させる機能と、
前記表示したまんが画像上において、一以上の矩形領域を設定するためのユーザによる入力を検出する機能と、
前記まんが画像における前記矩形領域の位置および形状の双方または一方を示す座標を検出する機能と、
前記設定したそれぞれの矩形領域の表示順序を設定するためのユーザによる入力を検出する機能と、
前記読み取ったまんが画像に前記座標と順序を対応づけて編集情報として記憶する機能と、
前記編集情報を外部に出力する機能と、
をコンピュータに発揮させることを特徴とするまんが画像編集プログラム。
【請求項２１】
コンピュータにて読取可能な記録媒体であって、
まんが画像を読み取る機能と、
前記読み取ったまんが画像を画面表示させる機能と、
前記表示したまんが画像上において、一以上の矩形領域を設定するためのユーザによる入力を検出する機能と、
前記まんが画像における前記矩形領域の位置および形状の双方または一方を示す座標を検出する機能と、
前記設定したそれぞれの矩形領域の表示順序を設定するためのユーザによる入力を検出する機能と、
前記読み取ったまんが画像に前記座標と順序を対応づけて編集情報として記憶する機能と、
前記編集情報を外部に出力する機能と、
をコンピュータに発揮させることを特徴とするまんが編集プログラムを格納した記録媒体。
【発明の詳細な説明】
【技術分野】
【０００１】
この発明は、まんがを画面表示させるための技術に関し、とくに、まんがに設定される指定領域を、画面に順次表示させるための技術に関する。
【背景技術】
【０００２】
近年、携帯型ゲーム端末をはじめとして携帯型の情報端末が普及している。ユーザはこれらの携帯型の情報端末において、テレビの視聴やデジタルデータ化された小説を読むことが可能となっている。とくに、液晶ディスプレイをはじめとした表示装置は急速に高画質化しつつある。従来は携帯型の情報端末では表示が不向きであった精緻な画像であっても、ユーザが視認可能程度の解像度で表示させることが可能となってきている。
【０００３】
ユーザがこうした携帯型の情報端末でまんがを楽しむことが出来れば、携帯型の情報端末の娯楽性が増す。例えば、特許文献１は、ＰＤＡ（Personal Digital Assistance）などの携帯型端末によってまんがを楽しむための技術を開示する。
【特許文献１】特開２００３−１０８２８４号公報
【特許文献２】特開２００２−１８３２０７号公報
【発明の開示】
【発明が解決しようとする課題】
【０００４】
この特許文献１に記載の発明は、まんがのコマの表示サイズを携帯端末の小型画面のサイズに合わせるよう表示制御する。この際、大きなコマを縮小して画面表示させるとふきだし文字が視認不可能なほどに小さくなってしまう可能性がある。この問題に対処するため、特許文献１に記載の発明はふきだし文字などの文字情報を画像情報とは別個に設けられた領域に字幕形式で表示させる。
【０００５】
しかし、このような方法では、ユーザは通常のコミック本を読むときとは異なるまんがの読み方を強いられる。また、通常、携帯端末の画面サイズに多様なサイズのまんがのコマを無理に当てはめるように制御すると、まんがが本来持っている表現力を著しく減殺してしまう。さらに、まんがのふきだし文字を文字情報として抽出してまんがのデータを作る作業負荷も大きい。
【０００６】
本発明はこうした課題に鑑みてなされたものであり、その目的は、まんがを効果的に画面表示するための技術を提供することにある。
【課題を解決するための手段】
【０００７】
上記課題を解決するために、本発明のある態様のまんが表示装置は、画面表示を目的としてまんがの画像上に設定された指定領域の幾何情報と、まんがを読む順序に沿って指定領域のそれぞれに付与された順序情報とを含むまんがデータを読み取るする。そして、ユーザによる画面送り操作があるたびに、その付与された順序情報に基づいて次に画面表示すべき指定領域を次表示領域として特定し、幾何情報に基づいて次表示領域を一画面にて表示可能か否かを判定する。次表示領域が一画面にて表示可能と判定された場合には、次表示領域を画面の中央部に表示させる。次表示領域が一画面にて表示不可能と判定された場合には、次表示領域内の所定位置が画面の中央部にくるよう表示させる。
【０００８】
「指定領域」とは、１ページ分のまんが画像を１以上に分割した各領域をいう。指定領域はまんがのコマに対応してもよい。あるいは、コマとは別に設定されてもよい。各指定領域には、通常は、その場面を構成する絵柄や、セリフなどの文字情報が含まれてもよい。この装置は、携帯型の情報端末であってもよい。あるいは、たとえば、パーソナルコンピュータなどの通常の情報処理機能を有する装置であってもよい。「幾何情報」とは、指定領域の位置やサイズなどの形状に関する情報をいう。この態様によると、ユーザはまんがの指定領域を単位としてまんがを読むことができる。ユーザによる操作入力に応じて、画面に指定領域が表示されるので、ユーザは通常のまんが本の読み方に近い感覚でまんがを楽しむことが出来る。
【０００９】
また、たとえば、一画面で表示するのが適当でない形状や大きさの指定領域の場合、指定領域中における注目すべき位置が画面の中心になるよう表示させてもよい。そして、この注目位置を複数個特定し、それらの特定された注目位置が順次画面の中心となるよう表示を切り替えてもよい。これにより結果として指定領域を全体として表示させてもよい。まんがの読者が実際にまんが本の大きなコマを読むときには、通常、そのコマの複数箇所に注視点を移動させてそのコマ全体を読むと考えられる。この装置は、読者の注視点を模して注目位置を特定してもよい。この態様によれば、特に、指定領域を常に画面サイズに合わせるよう表示を制御するのではない。そのため、まんがのコマの大きさの違いに起因するまんがの表現力をなるべく失わせない形でまんがを表示させることができる。
【００１０】
さらに、表示すべき指定領域内をスクロール表示させてもよい。あるいは、指定領域から次の指定領域である次表示領域に画面表示をスクロール表示により切り替えさせてもよい。スクロールは自動的に行ってもよい。あるいは、ユーザの操作に応じたスクロールでもよい。これにより、ユーザはまんが本のコマ上において注視点を移動させるときと更に近い感覚でまんがを楽しむことができる。
【００１１】
本発明のさらに別の態様は、まんが編集装置である。この装置は、まず、まんが画像を読み取り、読み取ったまんが画像を画面表示させる。そして、表示させたまんが画像上において、ユーザは一以上の矩形領域を設定する。矩形領域が設定されると、この装置はそのまんが画像における矩形領域の位置および形状の双方または一方を示す座標を検出する。また、ユーザは設定したそれぞれの矩形領域の表示順序を設定する。この装置は、読み取ったまんが画像に設定した座標と順序を対応づけて編集情報として記憶し、必要に応じてこの編集情報を外部に出力する。
【００１２】
この態様によると、まんが画像の表示形態や表示順序を直感的なグラフィカルユーザインタフェースにて簡単に設定できる。この装置により作成した編集情報を本発明の態様におけるまんが表示装置に取り込むことにより、さまざまなまんがをさまざまな表示方法で表示させることができる。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
本発明によれば、まんがを効果的に画面表示させることができる。
【発明を実施するための最良の形態】
【００１５】
図１は、本発明におけるまんが表示装置としての機能が実現される情報端末の基本的なハードウェア構成を示す。情報端末２００は、第１メインユニット２０、第２メインユニット５０、Ｉ／Ｏバス８０、クロックユニット８２、Ｉ／Ｏユニット８８、拡張バス９０、セキュリティ処理ユニット９２、オーディオインタフェース１１８および操作部１１６を備える。ここではＣＰＵを２個備える情報端末を例示する。なお、本発明は当然ながらＣＰＵが１個の構成でも実現できる。
【００１６】
第１メインユニット２０は、第１メインバス２２、第１メインメモリ２４、描画処理ユニット２６、第１ＤＭＡＣ（Dinamic Memory Access Controller）２８、第１メインＣＰＵ（Central Processing Unit）３０、ベクトル演算回路３６、ＦＰＵ（Floating point number Processing Unit）３８を有する。第１メインバス２２は、第１メインユニット２０内の各部に接続され、各部間を高速にデータ転送する。第１メインメモリ２４には、第１の主目的のプログラム、例えばゲームのプログラムが格納されるとともに、そのプログラムの実行に必要なデータがさらに格納される。第１メインメモリ２４に格納されたプログラムは第１メインＣＰＵ３０により実行される。第１メインＣＰＵ３０は、データキャッシュ３２および命令キャッシュ３４を含む。第１メインＣＰＵ３０は、特に必要性の高い命令を命令キャッシュ３４へ格納する。第１メインＣＰＵ３０は、特に必要性の高いデータをデータキャッシュ３２に格納する。
【００１７】
ベクトル演算回路３６は、第１メインＣＰＵ３０の指示にしたがい、透視変換などのジオメトリ演算を処理する。ＦＰＵ３８は、浮動小数点演算を処理する。描画処理ユニット２６は、第１メインＣＰＵ３０から受け取る描画命令を元にポリゴン描画を処理する。描画処理ユニット２６は、ビデオメモリとしてのＶＲＡＭ（Video Random Access Memory）２７を含む。第１ＤＭＡＣ２８は、第１メインバス２２と接続された入出力ポートとＩ／Ｏバス８０に接続された入出力ポートを含み、第１メインバス２２とＩ／Ｏバス８０の間でデータを転送する。第１ＤＭＡＣ２８は、第２メインバス５２と接続された入出力ポートをさらに含む。第１ＤＭＡＣ２８は、第１メインバス２２と第２メインバス５２の間で双方向バッファとして機能する。
【００１８】
第２メインユニット５０は、第２メインバス５２、第２ＤＭＡＣ５４、ＭＰＥＧ（Moving Picture Experts Group）デコーダ５６、音声処理ユニット５８、第２メインＣＰＵ６０、第２メインメモリ６６を有する。第２メインバス５２は、第２メインユニット５０内の各部に接続されて各部間を高速にデータ転送する。第２メインメモリ６６には、第２の主目的のプログラム、例えば動画再生のプログラムが格納されるとともに、そのプログラムの実行に必要なデータがさらに格納される。第２メインメモリ６６に格納されたプログラムは第２メインＣＰＵ６０により実行される。第２メインＣＰＵ６０は、データキャッシュ６２および命令キャッシュ６４を含む。第２メインＣＰＵ６０は、特に必要性の高い命令を命令キャッシュ６４へ格納する。第２メインＣＰＵ６０は、特に必要性の高いデータをデータキャッシュ６２に格納する。
【００１９】
ＭＰＥＧデコーダ５６は、第２メインＣＰＵ６０の指示にしたがい、ＭＰＥＧ形式で符号化された画像データを復号する。音声処理ユニット５８は、音声データを復号処理する。第２ＤＭＡＣ５４は、第２メインバス５２と接続された入出力ポートとＩ／Ｏバス８０に接続された入出力ポートを含み、第２メインバス５２とＩ／Ｏバス８０の間でデータを転送する。第２ＤＭＡＣ５４は、第１メインバス２２と接続された入出力ポートをさらに含む。第２ＤＭＡＣ５４は、第２メインバス５２と第１メインバス２２の間で双方向バッファとして機能する。
【００２０】
Ｉ／Ｏバス８０は、第１ＤＭＡＣ２８または第２ＤＭＡＣ５４と、クロックユニット８２、Ｉ／Ｏユニット８８、拡張バス９０、セキュリティ処理ユニット９２、オーディオインタフェース１１８または操作部１１６との間で、データを転送するバスである。クロックユニット８２は、時間を計測するタイマ８４と実時間を刻む実時間クロック８６とを含む。Ｉ／Ｏユニット８８は、複数の汎用Ｉ／Ｏインタフェースを含む。拡張バス９０は、拡張用デバイスを追加するためのバスである。
【００２１】
セキュリティ処理ユニット９２は、光ディスクなどの外部記録媒体との間でデータを読込または書込するドライブ装置と接続される。セキュリティ処理ユニット９２は、暗号処理部９４、シリアルＩ／Ｏ９６を含む。暗号処理部９４は、データの暗号化および復号を処理する。シリアルＩ／Ｏ９６は、暗号処理部９４で暗号化したデータを外部記録媒体のドライブ装置へ転送する。また、シリアルＩ／Ｏ９６は、そのドライブ装置が外部記録媒体から読み込んだデータを暗号処理部９４へ転送する。このように、外部記録媒体との間で読込または書込するデータをその読込または書込の際にすべてハードウェア的に暗号化または復号することにより、データの安全性を高めることができる。操作部１１６は、後述のアナログスティックやメインボタン等を含み、ユーザの操作を取得する。オーディオインタフェース１１８はスピーカやヘッドホンへの出力回路である。
【００２２】
これらの他に図示しないが装備する構成として、ＬＣＤ（Liquid Crystal Display）とそのためのインタフェース、電池およびＡＣ／ＤＣアダプタのための電源回路、プログラムから起動および停止される震動モータその他の力学的フィードバックユニットがある。
【００２３】
図２は情報端末２００の外観図である。情報端末２００は横長の携帯型で、ユーザは片手または両手で情報端末２００の両端（以下、ホールド部とよぶ）をもって操作する。電池はホールド部付近に内蔵され、電池交換の容易に配慮している。
【００２４】
情報端末２００はＬＣＤ２０２、アナログスティック２０４、メインボタン２０６、スタートセレクトボタン２０８、左右のスピーカ２１０、ディスクを着脱するスロット２１２、ヘッドホン端子口２１４を備える。アナログスティック２０４は、ジョイスティックの機能をコンパクトに実現するもので、３６０度任意の方向への可倒性を有するとともに、その倒れ具合を入力の強度としてアナログ的に取得する。メインボタン２０６はそれぞれが特定の機能割り付けをもつ三角、丸、バツ、四角のボタンである。スタートセレクトボタン２０８は特定の処理を開始または選択等するボタンである。これらが操作部１１６の機構系を構成する。
【００２５】
本実施例においては、メインボタン２０６のうちの丸ボタンはまんがを読み進めるために、次に表示すべき指定領域を表示させるよう指示するボタンである。四角ボタンは、前に表示された指定領域を表示させるよう指示するボタンである。以下、このようにまんが画像において表示すべき画面の位置を前後させる操作のことを「画面送り操作」とよぶ。三角ボタンは、まんがの１ページ分の画像をＬＣＤ２０２のまんが表示領域に収まるよう縮小表示させるよう指示するボタンである。三角ボタンによって、まんがの１ページ分の画像が全体表示されているときにバツボタンが押下されるともとの表示に戻る。アナログスティック２０４を右方向に倒すと、その傾斜角度に応じた速度で画面は表示が進む方向にスクロールする。アナログスティック２０４を左方向に倒すと、その傾斜角度に応じた速度で画面は表示が戻る方向にスクロールする。
【００２６】
図３は、情報端末２００において実現されるまんが表示装置３００の機能ブロック図である。同図は、ハードウエア単位の構成ではなく、機能単位のブロックを示している。
【００２７】
まんが表示装置３００は、操作入力部３０２、表示領域設定部３０４、表示処理部３０６、演出処理部３０８、表示位置処理部３１０、表示判定部３２６、まんがデータ取得部３２８、表示領域情報格納部３２４およびまんがデータ格納部３３６を含む。操作入力部３０２はユーザからの操作入力を受け付ける。操作入力部３０２は、図２に示したアナログスティック２０４、メインボタン２０６およびスタートセレクトボタン２０８の各入力デバイスを介してユーザの操作を受け付ける。表示領域設定部３０４は操作入力部３０２からの指示により、ＬＣＤ２０２におけるまんが表示領域のサイズを変更する。表示領域設定部３０４は画面方向設定部３２２を含む。画面方向設定部３２２は、ＬＣＤ２０２におけるまんが表示領域を縦表示するか横表示するかについて設定する。
【００２８】
表示領域設定部３０４は、設定されたまんが表示領域のサイズを表示領域情報格納部３２４に格納する。表示領域情報格納部３２４は、まんが表示領域のサイズ情報を座標情報として格納する。
【００２９】
表示処理部３０６は、まんが表示領域にまんが画像を表示させる。まんが画像中の表示位置、表示倍率、方法などについては、表示位置処理部３１０からの指示に従う。まんがデータ取得部３２８は後述するまんが編集装置７００からまんがデータを取得する。まんがデータはまんが画像とそれに付随する各種の設定データを含む。ここでいう各種のデータとは、指定領域についての幾何情報、順序情報、演出情報および明度情報をいう。まんが画像はＪＰＥＧ（Joint Photographic Experts Group）方式で圧縮された画像データである。まんがのコンテンツそのものとしては、コミック本や雑誌などのまんが本に掲載されている紙媒体で発行されたまんがをそのままとりこめばよい。
【００３０】
まんがデータ取得部３２８は、幾何情報取得部３３０、順序情報取得部３３２、演出情報取得部３３４および明度情報取得部３４０を含む。幾何情報取得部３３０は、まんがデータのうち、指定領域のまんがページ上における位置座標を幾何情報として取得する。順序情報取得部３３２は、これらの各指定領域の表示順序を順序情報として取得する。
【００３１】
演出情報取得部３３４は、指定領域ごとに設定された演出情報を取得する。演出情報とは、効果音などの音声情報や、動画像や静止画像による演出表示情報をいう。効果音は、まんがのセリフを音声化した情報でもいいし、まんがに擬音語や擬声語として描かれている音声を、実際に音声化してもよい。演出表示とは、フェイドアウト、ズーム、効果線やフラッシュ、画面の回転、着色や変色などによる表示上の演出をいう。演出処理部３０８は、表示位置処理部３１０からの指示により指定領域ごとに設定された演出を実行する。表示位置処理部３１０は、まんがデータ格納部３３６に格納される演出情報を参照して、必要に応じて演出処理部３０８に演出の実行を指示する。
【００３２】
明度情報取得部３４０は、まんがの指定領域についての明度情報を取得する。ここでいう明度情報とは、表示の中心となる指定領域のまわりを指定領域と同じくらいに明るく表示させるか否かについての二値的な設定情報をいう。まんが表示領域に、表示の中心となる指定領域以外の領域もその一部が表示される場合において、そのまわりの領域を指定領域よりも暗く表示させれば、ユーザは指定領域を注視しやすくなる。
【００３３】
まんがデータ取得部３２８はこれらのまんがデータを取得してまんがデータ格納部３３６に格納する。まんがデータ格納部３３６は、まんが画像のデータと共に、これらの設定情報を格納する。まんがデータ格納部３３６がこれらの各種設定情報を格納するためのデータ構造については後に詳述する。
【００３４】
表示位置処理部３１０は、まんが表示領域におけるまんが画像の表示位置や方法を指示する。表示位置処理部３１０は、操作入力部３０２が検出するユーザの操作に応じて、表示処理部３０６にこの指示を行う。表示位置処理部３１０は、まんがデータ格納部３３６に格納されるまんがデータをもとにして、まんが画像の表示すべき位置や表示の方法を特定する。表示位置処理部３１０は表示位置設定部３１２、表示倍率演算部３１８、明度制御部３３８、スクロール処理部３２０および明度制御部３３８を含む。表示位置設定部３１２は、まんが画像うちの表示すべき位置を設定する。表示位置設定部３１２は次表示領域特定部３１４と注目位置特定部３１６を含む。次表示領域特定部３１４は、画面送り操作に応じて次表示領域を特定する。ユーザが四角ボタンを押下して画面を戻す操作をしたときには、次表示領域特定部３１４は前に戻った指定領域を次表示領域として特定する。注目位置特定部３１６は、まんが表示領域の中心に表示すべき次表示領域内の位置を特定する。この次表示領域内に設定される表示の中心となる位置を「注目位置」とよぶ。この注目位置がまんが表示領域の中心に一致するようまんが画像は表示される。表示倍率演算部３１８は、次表示領域の表示倍率を設定する。表示倍率演算部３１８は、表示領域情報格納部３２４に格納されるまんが表示領域のサイズと、まんがデータ格納部３３６に格納される次表示領域のサイズに基づいて表示倍率を決定する。
【００３５】
スクロール処理部３２０は、まんが画像をスクロール表示させる。スクロール処理部３２０は、次指定領域内におけるスクロールの開始位置、終了位置や、スクロールの方向、速度を決定する。あるいは、スクロール処理部３２０は、表示の中心となる指定領域を切り替えるときの、スクロールの開始位置、終了位置や、スクロールの方向、速度を決定する。スクロール処理部３２０はユーザからの操作に応じて、これらを決定してもよい。スクロール表示を行うときには、表示位置設定部３１２は、スクロール処理部３２０からの指示によりまんが画像のうち表示すべき位置を設定する。表示倍率演算部３１８がまんが画像の表示倍率を変更しつつ、スクロール処理部３２０がスクロール表示を実行してもよい。
【００３６】
明度制御部３３８は、次表示領域と、そのまわりの領域の明るさについて設定する。明度制御部３３８は、まんがデータ格納部３３６に格納される指定領域ごとの明度情報に基づいて、その指示を行う。
【００３７】
表示判定部３２６は次表示領域の表示方法について判定する。次表示領域がまんが表示領域にくらべて所定の大きさよりも小さい場合には、表示判定部３２６は次表示領域を拡大して画面表示するよう決定する。たとえば、次表示領域の縦の長さがまんが表示領域の縦の長さの５０％以下であり、かつ、次表示領域の横の長さがまんが表示領域の横の長さの５０％以下であれば、表示判定部３２６は、まんが画像を拡大して表示するよう表示倍率演算部３１８に指示する。以下、このような場合の次表示領域の大きさを「小さいサイズ」という。
【００３８】
次表示領域が通常の大きさであれば、表示判定部３２６は次表示領域をそのままの大きさで画面表示するよう決定する。たとえば、次表示領域の縦の長さがまんが表示領域の縦の長さの５０％より大きく１００％以下であり、かつ、次表示領域の横の長さがまんが表示領域の横の長さの５０％より大きく１００％以下であれば、表示判定部３２６は、まんが画像をそのままの倍率で表示するよう表示倍率演算部３１８に指示する。以下、このような場合の次表示領域の大きさを「通常のサイズ」という。
【００３９】
次表示領域が所定の大きさよりも大きい場合には、表示判定部３２６は次表示領域を縮小して画面表示するよう決定する。たとえば、次表示領域の縦の長さがまんが表示領域の縦の長さの１００％より大きく１５０％以下であり、かつ、次表示領域の横の長さがまんが表示領域の横の長さの１００％より大きく１５０％以下であれば、表示判定部３２６は、まんが画像を縮小して表示するよう表示倍率演算部３１８に指示する。以下、このような場合の次表示領域の大きさを「大きいサイズ」という。
【００４０】
次表示領域が特に大きい場合には、注目位置特定部３１６は次表示領域中に注目位置を設定する。注目位置特定部３１６は、その注目位置を中心としてまんが画像を画面表示するよう表示処理部３０６に指示する。特に大きい場合とは、たとえば、次表示領域の縦の長さがまんが表示領域の縦の長さの１５０％より大きいか、次表示領域の横の長さがまんが表示領域の横の長さの１５０％より大きい場合をいう。以下、このような場合の次表示領域の大きさを「特に大きいサイズ」という。このとき、画面送り操作により、注目位置特定部３１６はその指定領域内に更に設定される別の注目位置が表示の中心となるよう表示位置を制御する。これにより、一画面にて表示するのが不適当な形状や大きさの指定領域を複数回に分けて表示する。また、画面送り操作により、スクロール処理部３２０がその指定領域をスクロール表示させてもよい。これにより、その指定領域が全体として表示される。
【００４１】
次にデータ構造について説明する。
図４は、まんがデータ格納部３３６の格納するまんがデータのうち、まんがの画像データに付随する各種の設定情報のデータ構造を示す図である。領域ＩＤ欄３５０は、まんが画像上に設定される指定領域を識別する領域ＩＤを示す。領域ＩＤの番号はそのまま指定領域の表示順序を示す。順序情報取得部３３２が取得した順序情報は領域ＩＤ欄３５０に設定される。
【００４２】
座標欄３５２は、まんがのページにおける各指定領域の位置および形状についての座標情報を示す。幾何情報取得部３３０が取得した幾何情報は座標欄３５２に設定される。各指定領域は矩形領域である。左上座標欄３５４は指定領域の左上の点の座標を示す。右下座標欄３５６は指定領域の右下の点の座標を示す。ここでは、１ページに表示されるまんが画像の横幅と縦幅をそれぞれ１００としている。まんがのページにおける左上の点の座標が（０、０）にあたる。右下の点の座標が（１００、１００）にあたる。すなわち、まんがページの左上点からみて右向きにＸ軸、下向きにＹ軸が設定されている。同図では、領域ＩＤが「０２」の指定領域は、左上点の座標が（５０、０）、右下点の座標が（１００、５０）である。したがって、この指定領域はまんがページの右上４分の１の矩形領域として位置する。
【００４３】
演出ＩＤ欄３５８は、各指定領域ごとの演出を識別する演出ＩＤを示す。演出情報取得部３３４が取得した演出情報は演出ＩＤ欄３５８に設定される。この演出ＩＤに対応する演出の内容はまんがデータ格納部３３６に格納されてもよい。たとえば、演出ＩＤが「０１」の演出は「その指定領域全体を１回フラッシュさせる」という演出に対応させてもよい。また、各指定領域ごとに複数の演出ＩＤを設定してもよい。
【００４４】
明度欄３６０は、表示の中心となる指定領域のまわりの領域をその指定領域よりも暗く表示させるか否かについての設定を示す。明度情報取得部３４０が取得した明度情報は明度欄３６０に設定される。領域ＩＤが「０２」の指定領域では、その指定領域のまわりの領域はその指定領域よりも暗く表示される。その結果、ユーザは指定領域を注視しやすくなる。領域ＩＤが「０５」の指定領域では、その指定領域のまわりの領域は、その指定領域と同程度の明るさで表示される。その結果、ユーザは指定領域を視認の中心としつつまんが表示領域全体を見渡しやすくなる。まんがの場面に応じて、指定領域ごとに明度情報を設定することにより、まんがの表現力を増すことができる。
【００４５】
次にまんが表示装置３００がまんがを画面表示する態様について説明する。
図５はあるまんがのページを示す。まんが画像３９０は、紙媒体に描かれたまんがのあるページをスキャナなどの既知の画像読み取り手段によりデジタル画像化したものである。まんが画像３９０は５つのコマをもつ。このページには、指定領域３７０、指定領域３８８、指定領域３９２、指定領域３９４、指定領域３９６、指定領域３８４および指定領域３８６の合計７つの指定領域が設定されている。指定領域３７０、指定領域３８８、指定領域３８４、指定領域３８６はそのまままんが画像３９０のコマに一致する。一方、指定領域３９２、指定領域３９４、指定領域３９６は、コマの部分領域となっている。次に、このまんが画像３９０をまんが表示装置３００にて表示させるときの態様について説明する。
【００４６】
図６は、まんが画像３９０のうち指定領域３７０を中心として表示させる態様を示す図である。まんが画像３９０においては、次表示領域特定部３１４は、まず指定領域３７０を次表示領域として設定する。まんが画像３９０における７つの指定領域のうち、指定領域３７０の順序が一番に設定されているからである。同図では、表示判定部３２６は指定領域３７０を通常のサイズと判定している。したがって、注目位置特定部３１６は指定領域３７０の中心座標を注目位置として設定する。まんが表示領域４００の中心はこの注目位置に一致する。また、指定領域３７０は通常のサイズであるため、表示倍率演算部３１８は指定領域３７０の表示倍率を変更しない。指定領域３７０は明度欄３６０により明度の制御を行うよう設定されている。したがって、明度制御部３３８は指定領域３７０のまわりの領域を指定領域３７０よりも暗く表示させるよう指示する。
【００４７】
ユーザが先の画面へ画面送り操作を行うと、次表示領域特定部３１４は指定領域３８８を次指定領域として特定する。次表示領域特定部３１４はまんがデータ格納部３３６に格納される順序情報に基づいて指定領域３８８を特定する。同図において指定領域３８８は通常のサイズである。表示処理部３０６は、まんが表示領域４００の表示内容を指定領域３７０から指定領域３８８を中心とした表示に更新する。
【００４８】
ここで、スクロール処理部３２０は、指定領域３７０と中心とした表示から指定領域３８８を中心とした表示に向けて、その表示をなめらかにスクロールさせてもよい。ユーザの操作に応じた速度で画面がスクロールしてもよいし、自動的に所定の速度で画面がスクロールしてもよい。まんがの読者が指定領域３７０から指定領域３８８に注視点を移動させるときの移動方向や移動速度を模してスクロールさせてもよい。これにより、ユーザはまんが本を読むときと近い感覚でまんがを楽しむことができる。
【００４９】
次表示領域特定部３１４は、次表示領域を所定の時間間隔で自動的に切り替えてもよい。ユーザが画面送り操作により次表示領域を切り替える時間間隔を計測して、次表示領域特定部３１４は自動で切り替える時間間隔を設定してもよい。これにより、ユーザはとくに操作をしなくても自分にあった速度でまんがを読むことができる。
【００５０】
指定領域に含まれる文字の数が多い場合には、ユーザがその指定領域の全体を視認するのに時間がかかると考えられる。したがって、次表示領域特定部３１４は、指定領域に含まれる文字数に比例した時間間隔で次表示領域を自動的に切り替えてもよい。まんが表示装置３００はまんが表示領域４００におけるユーザの注視点の位置座標を検出してもよい。そして、その注視点の位置座標に応じて、次表示領域を切り替えてもよい。たとえば、図６の場合、ユーザがまんが表示領域４００の左部分を注視すると、次表示領域特定部３１４は次表示領域として左の指定領域３８８を特定してもよい。次表示領域を自動的に切り替える場合には、まんがデータ格納部３３６は指定領域ごとに表示時間の設定情報を格納する。次表示領域特定部３１４は、この設定情報をもとにして、次表示領域を自動的に切り替える。
【００５１】
図７は、まんが画像３９０のうち指定領域３９２を中心として表示させる態様を示す図である。次表示領域特定部３１４は指定領域３８８の次に指定領域３９２を次表示領域として特定する。指定領域３９２は明度欄３６０により明度の制御を行わないよう設定されている。したがって、明度制御部３３８は指定領域３９２のまわりの領域を指定領域３９２と同じ明るさで表示させる。
【００５２】
なお、横に長い指定領域を表示させる場合、スクロール処理部３２０はまんが表示領域の中心をその指定領域の右から左へスクロールさせてもよい。あるいは、注目位置特定部３１６が、その指定領域の右部分に注目位置を特定する。そのあと、スクロール処理部３２０はまんが表示領域の中心を注目位置から左方向に自動的にスクロールさせてもよい。あるいは、スクロール処理部３２０はユーザによる操作に応じてスクロールさせてもよい。また、スクロール処理部３２０はその表示倍率を変更しながらまんが表示領域をスクロール表示をさせてもよい。たとえば、大きいサイズの指定領域から小さいサイズの指定領域に向けて表示の中心をスクロールさせる場合、表示倍率演算部３１８はまんが画像の表示倍率を縮小から拡大に徐々に変化させてもよい。これにより、まんが表示装置３００は、通常のまんが本を読む場合にはない表現力を発揮できる。
【００５３】
図８は、所定の指定領域を縦長または横長のまんが表示領域にて表示させる態様を示す図である。同図では横に長い指定領域３６６が表示の中心となる指定領域である。まんが表示領域３８０は、ＬＣＤ２０２において横長にまんが表示領域を設定した場合の表示領域である。まんが表示領域３８２は、ＬＣＤ２０２において縦長にまんが表示領域を設定した場合の表示領域である。
【００５４】
表示判定部３２６は、まんが表示領域３８０と指定領域３６６を比較する。表示判定部３２６は、指定領域３６６を通常のサイズと判定する。したがって、注目位置特定部３１６は、指定領域３６６の中心を注目位置に設定する。表示処理部３０６は指定領域３６６を一画面にて表示させる。
【００５５】
一方、表示判定部３２６は、まんが表示領域３８２と指定領域３６６を比較する。表示判定部３２６は、指定領域３６６を特に大きいサイズと判定する。まんが表示領域３８２の縦の長さが指定領域３６６の縦の長さに比べて特に長いからである。この場合、注目位置特定部３１６は指定領域３６６の右側部分に注目位置を設定する。ユーザが画面送り操作をすると、注目位置特定部３１６は指定領域３６６の左側部分に次の注目位置を設定する。表示処理部３０６は指定領域３６６を２回に分けて表示する。まんが表示領域３８２の表示内容を更新することにより、結果として指定領域３６６の全体が表示される。
【００５６】
このようにまんが表示領域３８０とまんが表示領域３８２が同じ面積の領域であっても、表示判定部３２６は次表示領域の表示方法について異なった判定を行う。ユーザは、まんが表示領域を縦長の表示や横長の表示に切り替えることができる。これにより、指定領域の形状にあわせてまんが表示領域の向きを設定できる。まんが表示領域の向きや形状を切り替えれば、指定領域を一画面で表示させるよう操作し得る。注目位置特定部３１６による注目位置の特定や、表示倍率演算部３１８やスクロール処理部３２０による表示方法の特定の他に、ユーザによる操作によって、まんがをより好適に表示させるように制御できる。
【００５７】
図９は、まんが表示装置３００がまんが画像を表示させる過程を示すフローチャートのである。操作入力部３０２はユーザによる画面送り操作を検出すると、表示位置処理部３１０に通知する。次表示領域特定部３１４は次表示領域を特定する（Ｓ１０）。次表示領域特定部３１４は、まんがデータ格納部３３６が格納する順序情報に基づいて次表示領域を特定する。表示位置処理部３１０は次表示領域の表示位置や表示方法を決定する。そして、表示処理部３０６に画面表示を指示する。表示処理部３０６は指示に従ってまんが画像を画面表示させる（Ｓ１２）。表示位置処理部３１０は、まんがデータ格納部３３６の演出ＩＤ欄３５８を参照し、演出の有無を判断する（Ｓ１４）。演出情報が設定されていれば（Ｓ１４のＹ）、表示位置処理部３１０は読み出した演出情報により演出内容を特定する。そして、演出処理部３０８に演出の実行を指示する。演出処理部３０８はその指示に従って演出を実行する（Ｓ１６）。演出情報が設定されていなければ（Ｓ１４のＮ）、Ｓ１６の処理はスキップされる。
【００５８】
図１０は、図９のＳ１２における処理を詳細に示すフローチャートである。図９のＳ１０のあと、表示判定部３２６は、次表示領域とまんが表示領域のサイズを比較し、次表示領域の表示方法について判定する（Ｓ２０）。表示判定部３２６が次表示領域を小さいサイズであると判定すると（Ｓ２２のＹ）、表示倍率演算部３１８は次表示領域が拡大表示されるように表示倍率を設定する（Ｓ２４）。注目位置特定部３１６は、次表示領域の中心座標を注目位置として特定する。表示位置設定部３１２はこの注目位置がまんが表示領域の中心に設定する。表示位置処理部３１０は表示処理部３０６に指示して、次表示領域をまんが表示領域に表示させる（Ｓ３２）。
【００５９】
次表示領域が小さいサイズでなければ（Ｓ２２のＮ）、表示判定部３２６は次表示領域が通常のサイズであるか否かを判定する（Ｓ２６）。次表示領域が通常のサイズであれば（Ｓ２６のＹ）、注目位置特定部３１６は、次表示領域の中心座標を注目位置として特定する。表示位置処理部３１０は表示処理部３０６に指示して、次表示領域をまんが表示領域に表示させる（Ｓ３２）。
【００６０】
次表示領域が通常のサイズでなければ（Ｓ２６のＮ）、表示判定部３２６は次表示領域が特に大きいサイズであるか否かを判定する（Ｓ２８）。次表示領域が特に大きいサイズでなければ（Ｓ２８のＮ）、次表示領域は「大きいサイズ」にあたる。表示倍率演算部３１８は次表示領域が縮小表示されるように表示倍率を下げる（Ｓ３０）。注目位置特定部３１６は、次表示領域の中心座標を注目位置として特定する。表示位置設定部３１２はこの注目位置をまんが表示領域の中心に設定する。表示位置処理部３１０は表示処理部３０６に指示して、次表示領域をまんが表示領域に表示させる（Ｓ３２）。
【００６１】
次表示領域が特に大きいサイズであれば（Ｓ２８のＹ）、注目位置特定部３１６は次表示領域の所定位置を注目位置として特定する（Ｓ３４）。たとえば、次表示領域が横に長い領域であれば、注目位置特定部３１６は次表示領域の右側に注目位置を設定する。次表示領域が縦に長い領域であれば、注目位置特定部３１６は次表示領域の上側に注目位置を設定する。次表示領域が正方形の領域であれば、注目位置特定部３１６は次表示領域の右上に注目位置を設定する。注目位置特定部３１６は、ユーザがその次表示領域を見るときに最初に注視すべき位置を注目位置に設定するとより好適である。表示位置設定部３１２はこの注目位置をまんが表示領域の中心に設定する。
【００６２】
スクロール表示が設定されている場合には（Ｓ３６のＹ）、スクロール処理部３２０は設定された注目位置からその次表示領域内の別の所定位置に向けてまんが表示領域をスクロールさせる。スクロールはまんがの読者がその次表示領域を読むときの注視点の動きを模してスクロールしてもよい。スクロール表示が設定されていない場合には（Ｓ３６のＮ）、Ｓ３８はスキップされる。
【００６３】
スクロール表示が設定されていない場合において、次表示領域が特に大きいサイズである場合について更に説明する。この場合、次表示領域内に設定された注目位置を中心としてまんが画像が表示された後に画面送り操作がなされると、Ｓ３４においては同じ領域内に別の注目位置が特定される。そして、その新たに特定された注目位置を中心として次表示領域が表示される。たとえば、次表示領域が横に長い領域であれば、注目位置特定部３１６は次表示領域の左側に注目位置を設定する。次表示領域が縦に長い領域であれば、注目位置特定部３１６は次表示領域の下側に注目位置を設定する。次表示領域が正方形の領域であれば、注目位置特定部３１６は次表示領域の左下に注目位置を設定する。注目位置特定部３１６は、ユーザがその次表示領域を見るときに最初に注視すべき位置の次に注視すべき位置を注目位置に設定するとより好適である。すなわち、特に大きいサイズの次表示領域は複数回に分けて表示させる。次表示領域内の注目位置は、結果としてその次表示領域の主要な部分がすべて表示されるように特定されるとより好適である。実施例では、注目位置特定部３１６が次表示領域内に注目位置を特定する場合を示した。しかし、まんがデータ取得部３２８はまんがデータの一部として、予め指定領域内に設定された注目位置を取得してもよい。そして、まんがデータ取得部３２８は、この注目位置情報をまんがデータ格納部に指定領域ごとに格納する。
【００６４】
図１１はまんが編集装置７００の機能ブロック図である。ここに示す各ブロックは、ハードウェア的には、コンピュータのＣＰＵをはじめとする素子や機械装置で実現でき、ソフトウェア的には、コンピュータプログラム等によって実現されるが、ここでは、それらの連携によって実現される機能ブロックを描いている。したがって、これらの機能ブロックはハードウェア、ソフトウェアの組み合わせによっていろいろなかたちで実現できることは、当業者には理解されるところである。
【００６５】
まんが編集装置７００は、まんが表示装置３００のまんがまんがデータ取得部３２８が取得すべきまんがデータを生成するための装置である。まんが編集装置７００は、通常のパーソナルコンピュータなどの汎用的な情報処理機能を有する機器において実現される。まんが編集装置７００は、まんが情報入力部７０２、領域設定部７０４、座標抽出部７０６、順序設定部７０８、表示処理部７１０、演出設定部７１２、出力処理部７１４、明度設定部７１８および編集情報格納部７１６を含む。
【００６６】
まんが情報入力部７０２はまんがに関して画像データをはじめとする各種の情報を取得する。まんがの画像データは画像をデジタル情報として取得する機能を有するスキャナなどの既知の手段により取得される。また、ユーザはまんが情報入力部７０２を介して読み取ったまんが画像のタイトルや巻番号、ストーリー番号、ページ番号などを入力してもよい。まんが情報入力部７０２はこれらの取得したデータを編集情報格納部７１６に編集情報として格納する。
【００６７】
表示処理部７１０は、編集情報格納部７１６に格納されたまんがの画像を画面表示させる。ユーザは領域設定部７０４を介して、表示処理部７１０が表示するまんが画像に指定領域を設定する。座標抽出部７０６は設定された指定領域をまんがデータ格納部３３６の座標欄３５２に示したような座標情報として抽出する。座標抽出部７０６は、この抽出した座標情報を指定領域の幾何情報として編集情報格納部７１６に格納する。
【００６８】
ユーザは順序設定部７０８を介して、設定した指定領域の表示順序を設定する。順序設定部７０８は設定された表示順序を順序情報として編集情報格納部７１６に格納する。ユーザは演出設定部７１２を介して、これらの指定領域が表示されるときに実行されるべき演出を設定する。演出の内容はまんが編集装置７００があらかじめ複数のパターンを用意する。ユーザがその用意された演出から、所望の演出を選択することにより、演出内容を設定する。設定された演出情報は編集情報格納部７１６に格納される。ユーザは明度設定部７１８を介して、これらの指定領域が表示されるときのまわりの領域を、その指定領域と同程度の明るさで表示するか否かについて設定する。この設定は明度情報として、編集情報格納部７１６に格納される。編集情報格納部７１６はこれらのまんがデータ含めて編集情報として格納する。編集情報格納部７１６が格納する編集情報のうち、まんが表示装置３００が必要とするまんがデータは出力処理部７１４を介して出力される。なお、編集情報格納部７１６のデータ構造は、まんが表示装置３００におけるまんがデータ格納部３３６と同様でよい。
【００６９】
図１２は、まんが編集装置７００にて指定領域の設定を行う編集画面７２０を示す。まんが画像７３０は、まんが１ページ分の画像である。ユーザは、マウスやカーソルキー、タッチパネルなどの既知の入力デバイスにより、指定領域を設定する。同図では、指定領域３７０、指定領域３８８、指定領域３９２、指定領域３９４、指定領域３９６、指定領域３８４および指定領域３８６の７つの指定領域が設定されている。領域設定部７０４を介して設定されたこれらの指定領域から、座標抽出部７０６はそれらの幾何情報として座標情報を抽出する。
【００７０】
ユーザはまんが画像７３０の各指定領域についてページごとに表示順序を設定する。表示処理部７１０は設定された表示順序を各指定領域の右下に四角形で囲われた数字により表示させる。同図においては、指定領域３７０、指定領域３８８、指定領域３９２、指定領域３９４、指定領域３９６、指定領域３８４、指定領域３８６の順に表示順序が順序情報として設定される。順序設定部７０８を介して設定されたこれらの順序情報は編集情報格納部７１６に格納される。ユーザは演出設定部７１２を介して、これらの指定領域ごとに演出情報を設定してもよい。ユーザは明度設定部７１８を介して、これらの指定領域ごとに明度情報を設定してもよい。
【００７１】
図１３は、ユーザがまんがの編集情報を作成する過程を示すフローチャートである。まず、表示処理部７１０は、読み取ったまんがの画像を画面表示させる（Ｓ４０）。ユーザは、領域設定部７０４を介して指定領域を設定する（Ｓ４２）。座標抽出部７０６は設定された指定領域の座標情報を抽出する。ユーザは、表示画面上にて、順序設定部７０８を介して設定した指定領域の表示順序を設定する（Ｓ４４）。これらの設定された情報は編集情報として編集情報格納部７１６に格納され（Ｓ４６）、処理は終了する。ユーザは、まんがの各ページについてこの作業を繰り返す。
【００７２】
以上、実施例においては、ユーザは情報端末２００にてまんがを楽しむことができる。まんがを指定領域単位で表示させるので、ユーザは、小さな画面でもまんがを楽しめる。また、これによりユーザが紙媒体においてまんがを読むときと類似するユーザインタフェースで、ユーザはまんがを読むことが出来る。
【００７３】
また、本実施例におけるまんが編集装置７００によれば、まんが本として出版された既存のまんがを画面上で編集することにより、簡単にまんがの編集情報を作成することが出来る。そのため、まんが表示装置まんが表示装置３００でまんがを表示させるための専用のコンテンツとしてまんがを一から制作する必要がない。
【００７４】
本実施例においては、まんがとしていわゆる単行本や雑誌に掲載されるまんがを対象として説明した。しかし、本発明におけるまんが表示装置３００やまんが編集装置７００は、たとえば、プレゼンテーション資料など、複数の絵柄を含む２次元情報を効果的に表示させるために広く応用可能である。特に、まんがのように注視点を複雑に移動させる必要がある情報表示媒体に対して、本発明による表示方法は有効である。
【００７５】
また、本実施例においては情報端末２００を対象としてまんが表示装置３００を説明したが、まんがを表示する画面はテレビなどの一般的なモニター画面であってもよい。また、パーソナルコンピュータにおけるウィンドウ画面をまんがの表示領域として設定してもよい。ユーザがこのウィンドウ画面の形状を変更させると、表示判定部３２６はその形状や指定領域や注目領域の形状に応じて表示方法の判定をしてもよい。本実施例では、表示の中心となる指定領域をまわりの領域よりも強調表示させるために、まわりの領域をその指定領域よりも暗く表示させた。そのほかにも、次表示領域でない領域であって画面に表示される領域よりも、その次表示領域を異なる色彩で表示させてもよい。色彩を変更することによりユーザが指定領域を注視しやすくさせることができる。
【００７６】
以上、本発明を実施例をもとに説明した。実施例は例示であり、それらの各構成要素や各処理プロセスの組合せにいろいろな変形例が可能なこと、またそうした変形例も本発明の範囲にあることは当業者に理解されるところである。
【図面の簡単な説明】
【００７７】
【図１】本発明におけるまんが表示装置としての機能が実現される情報端末の基本的なハードウェア構成を示す図である。
【図２】情報端末の外観図である。
【図３】まんが表示装置の機能ブロック図である。
【図４】まんがデータ格納部のデータ構造図である。
【図５】まんが画像を示す図である。
【図６】まんがページのうちある指定領域を情報端末にて表示させる態様を示す図である。
【図７】まんがページのうち別の指定領域を情報端末にて表示させる態様を示す図である。
【図８】所定の指定領域を縦長画面と横長画面のそれぞれにより表示させる場合を示す図である。
【図９】まんがを表示させる過程を示すフローチャートである。
【図１０】図９のＳ１２の処理を詳細に示すフローチャートである。
【図１１】まんが編集装置の機能ブロック図である。
【図１２】まんが編集装置にて指定領域の設定を行う編集画面を示す図である。
【図１３】ユーザがまんがの編集情報を作成する過程を示すフローチャートである。
【符号の説明】
【００７８】
２００  情報端末、２０２  ＬＣＤ、３００  まんが表示装置、３０２  操作入力部、３０４  表示領域設定部、３０６  表示処理部、３０８  演出処理部、３１０  表示位置処理部、３１２  表示位置設定部、３１４  次表示領域特定部、３１６  注目位置特定部、３１８  表示倍率演算部、３２０  スクロール処理部、３２２  画面方向設定部、３２６  表示判定部、３２８  まんがデータ取得部、３３０  幾何情報取得部、３３２  順序情報取得部、３３４  演出情報取得部、３３６  まんがデータ格納部、３３８  明度制御部、３４０  明度情報取得部、７００  まんが編集装置、７０２  まんが情報入力部、７０４  領域設定部、７０６  座標抽出部、７０８  順序設定部、７１０  表示処理部、７１２  演出設定部、７１６  編集情報格納部。
【図１】
2005202062.tif 000003
【図２】
2005202062.tif 000004
【図３】
2005202062.tif 000005
【図４】
2005202062.tif 000006
【図５】
2005202062.tif 000007
【図６】
2005202062.tif 000008
【図７】
2005202062.tif 000009
【図８】
2005202062.tif 000010
【図９】
2005202062.tif 000011
【図１０】
2005202062.tif 000012
【図１１】
2005202062.tif 000013
【図１２】
2005202062.tif 000014
【図１３】
2005202062.tif 000015